(57)【要約】【課題】リヤカーが停止しているときに、荷台がベタ置きになって、荷物の積み込み・積み下ろしの作業が容易にできるリヤカーを提供すること。【解決手段】荷台本体１０に左右水平方向に延びる回動軸１５と、枠体状に形成されてタイヤ１１を内外の枠部２０ａ、２０ｂに軸着することで回転自在に保持すると共に、後方の枠部２０ｄが回動軸１５を中心に上下方向へ回動可能に設けられて前方の枠部２０ｃが引きハンドル１２に連続するように設けられているタイヤ保持枠体２０と、タイヤ保持枠体２０が下方へ回動された状態に荷台本体１０の前部１０ａと引きハンドル１２の根元部１２ａとを連結するように設けられると共に、荷物を積み込み・積み降ろす際にはタイヤ保持枠体２０を上方へ回動させて荷台本体１０の全面が地面上にベタ置き状態となるように前記の連結を解除できるように設けられた連結機構３０とを具備する。【選択図】図１
2011098641.tif 000002
【特許請求の範囲】
【請求項１】
荷物が載置される荷台本体、一対のタイヤ及び引きハンドルを有して荷物を運搬するために用いられるリヤカーにおいて、
前記荷台本体に左右水平方向に延びるように設けられた回動軸と、
前記一対のタイヤに対応して一対が設けられ、該タイヤが回転自在に装着され、該タイヤの回転軸に対して前後方向のどちらか一方に所要の間隔をおいた部分で前記回動軸に軸着されることで該回動軸を中心に回動され、前記タイヤを、荷物を積み込み・積み降ろす際には上方へ位置させて荷台本体が地面上にベタ置き状態となるように、上下方向へ変位可能に保持するタイヤ保持部と、
少なくとも一方の前記タイヤ保持部から前方へ延設され、梃子の原理によって、該タイヤ保持部の前記回動軸を中心にする回動に伴って、前記タイヤを上下方向に変位させるように設けられた前方延設部と、
前記タイヤ保持部の前記回動軸を中心にした回動によって、前記タイヤが走行するために下方に位置される際には前記前方延設部と前記荷台本体又は引きハンドルとを連結して固定するように設けられると共に、荷物を積み込み・積み降ろす際には前記タイヤを上方へ位置させて前記荷台本体が地面上にベタ置き状態となるように前記前方延設部と前記荷台本体又は引きハンドルとの連結を解除できるように設けられた連結機構とを具備することを特徴とするリヤカー。
【請求項２】
前記前方延設部が前記引きハンドルであり、前記連結機構は前記前方延設部と前記荷台本体とを連結するものであることを特徴とする請求項１記載のリヤカー。
【請求項３】
荷物が載置される荷台本体、一対のタイヤ及び引きハンドルを有して荷物を運搬するために用いられるリヤカーにおいて、
前記荷台本体の後部に左右水平方向に延びるように設けられた回動軸と、
前記一対のタイヤに対応して一対が設けられ、枠体状に形成されて前記タイヤが内外の枠部に軸着されることで回転自在に保持されると共に、後方の枠部が前記回動軸に軸着されて該回動軸を中心に前方の枠部が上下方向へ回動可能に設けられ、該前方の枠部が前記引きハンドルに連続するように設けられているタイヤ保持枠体と、
該タイヤ保持枠体が下方へ回動されてリヤカーとして走行できる状態に前記荷台本体の前部と前記引きハンドルの根元部とを連結するように設けられると共に、荷物を積み込み・積み降ろす際には前記タイヤ保持枠体を上方へ回動させて前記荷台本体が地面上にベタ置き状態となるように該荷台本体の前部と前記引きハンドルの根元部との連結を解除できるように設けられた連結機構とを具備することを特徴とするリヤカー。
【請求項４】
前記連結機構が、前記引きハンドルの根元部に固定された固定鉤部と、荷台本体の前部に設けられた前面フレーム部に沿って左右水平方向に延びる軸に固定されて回動可能に設けられた回動鉤部とが係合することで前記荷台本体の前部と前記引きハンドルの根元部とを連結できるように設けられていることを特徴とする請求項３記載のリヤカー。
【請求項５】
前記引きハンドルが折り畳み可能に設けられていることを特徴とする請求項１〜４のいずれかに記載のリヤカー。
【発明の詳細な説明】
【技術分野】
【０００１】
この発明は、荷物が載置される荷台本体、一対のタイヤ及び引きハンドルを具備して荷物を運搬するために用いられるリヤカーに関する。
【背景技術】
【０００２】
従来から、リヤカーの収納性を向上させる目的で、引きハンドルを組立て式にすることや、巾方向（左右方向）に折り畳むことができるものが提案されている。
例えば、ハンドルを台車より着脱自在に嵌入止着し、不用時には折り畳んで長さ及び巾方向の長さを縮小して格納できるリヤカータイプの運搬車が開示されている（特許文献１参照）。
【０００３】
一方、リヤカーでは、一対のタイヤがある関係上、荷台の荷物の載置面が地面から一定の高さになる。また、リヤカーは、荷台の前部が低くて後部がやや跳ね上がった形態に止め置かれる。これは、走行中にタイヤ以外の部分が接地しないように、荷台の下面から下方へ突起する部分が基本的に形成されないと共に、引きハンドルの分だけ重心が前にあるためである。
【０００４】
このように後端を含む荷台の後部が浮き上がった状態で停止するため、荷物を台車に載せたままなどの状態で滑り込ませるように積み込むことは難しく、その荷台の高さ位置まで持ち上げる必要がある。なお、補助者がいる場合は、引きハンドルを持ち上げてタイヤを中心に荷台を回動させ、その荷台の後端を地面に接触させた状態で荷物を積み込むことが可能であるが、二人の作業となって効率的ではない。
【０００５】
また、リヤカーでは、タイヤの回転軸を中心にして荷台がシーソーのように回動し易く、荷物を積み込む作業が行いにくい問題もあった。これに対しては、引きハンドルを持つ者がいて、荷台が回転しないように押さえていれば良いが、二人の作業となって効率的ではない。また、荷台がシーソーのように回動しないように作業者が荷物の重心を考えて適切に荷台上に載置すれば良いが、そのように荷物を適切に載置するには必要以上の力を要することになり易く、不便であった。
【先行技術文献】
【特許文献】
【０００６】
【特許文献１】特開平０９−６６８３４号公報（第１頁）
【発明の概要】
【発明が解決しようとする課題】
【０００７】
リヤカーに関して解決しようとする問題点は、リヤカーが停止しているときには荷台の後部が浮いた状態となっていると共に、荷台がシーソーのように回動し易く、荷物の積み込み・積み下ろしの作業が行いにくい点にある。
そこで本発明の目的は、リヤカーが停止しているときに、荷台がベタ置きになって、荷物の積み込み・積み下ろしの作業が容易にできるリヤカーを提供することにある。
【課題を解決するための手段】
【０００８】
本発明は、上記目的を達成するために次の構成を備える。
本発明にかかるリヤカーの一形態によれば、荷物が載置される荷台本体、一対のタイヤ及び引きハンドルを有して荷物を運搬するために用いられるリヤカーにおいて、前記荷台本体に左右水平方向に延びるように設けられた回動軸と、前記一対のタイヤに対応して一対が設けられ、該タイヤが回転自在に装着され、該タイヤの回転軸に対して前後方向のどちらか一方に所要の間隔をおいた部分で前記回動軸に軸着されることで該回動軸を中心に回動され、前記タイヤを、荷物を積み込み・積み降ろす際には上方へ位置させて荷台本体が地面上にベタ置き状態となるように、上下方向へ変位可能に保持するタイヤ保持部と、少なくとも一方の前記タイヤ保持部から前方へ延設され、梃子の原理によって、該タイヤ保持部の前記回動軸を中心にする回動に伴って、前記タイヤを上下方向に変位させるように設けられた前方延設部と、前記タイヤ保持部の前記回動軸を中心にした回動によって、前記タイヤが走行するために下方に位置される際には前記前方延設部と前記荷台本体又は引きハンドルとを連結して固定するように設けられると共に、荷物を積み込み・積み降ろす際には前記タイヤを上方へ位置させて前記荷台本体が地面上にベタ置き状態となるように前記前方延設部と前記荷台本体又は引きハンドルとの連結を解除できるように設けられた連結機構とを具備する。
【０００９】
また、本発明にかかるリヤカーの一形態によれば、前記前方延設部が前記引きハンドルであり、前記連結機構は前記前方延設部と前記荷台本体とを連結するものであることを特徴とすることができる。
また、本発明にかかるリヤカーの一形態によれば、荷物が載置される荷台本体、一対のタイヤ及び引きハンドルを有して荷物を運搬するために用いられるリヤカーにおいて、前記荷台本体の後部に左右水平方向に延びるように設けられた回動軸と、前記一対のタイヤに対応して一対が設けられ、枠体状に形成されて前記タイヤが内外の枠部に軸着されることで回転自在に保持されると共に、後方の枠部が前記回動軸に軸着されて該回動軸を中心に前方の枠部が上下方向へ回動可能に設けられ、該前方の枠部が前記引きハンドルに連続するように設けられているタイヤ保持枠体と、該タイヤ保持枠体が下方へ回動されてリヤカーとして走行できる状態に前記荷台本体の前部と前記引きハンドルの根元部とを連結するように設けられると共に、荷物を積み込み・積み降ろす際には前記タイヤ保持枠体を上方へ回動させて前記荷台本体が地面上にベタ置き状態となるように該荷台本体の前部と前記引きハンドルの根元部との連結を解除できるように設けられた連結機構とを具備することを特徴とすることができる。
【００１０】
また、本発明にかかるリヤカーの一形態によれば、前記連結機構が、前記引きハンドルの根元部に固定された固定鉤部と、荷台本体の前部に設けられた前面フレーム部に沿って左右水平方向に延びる軸に固定されて回動可能に設けられた回動鉤部とが係合することで前記荷台本体の前部と前記引きハンドルの根元部とを連結できるように設けられていることを特徴とすることができる。
また、本発明にかかるリヤカーの一形態によれば、前記引きハンドルが折り畳み可能に設けられていることを特徴とすることができる。
【発明の効果】
【００１１】
本発明にかかるリヤカーによれば、リヤカーが停止しているときに、荷台がベタ置きになって、荷物の積み込み・積み下ろしの作業が容易にできるという特別有利な効果を奏する。
【図面の簡単な説明】
【００１２】
【図１】本発明にかかるリヤカーの形態例を示す斜視図である。
【図２】図１の形態例の荷台本体がベタに置かれた状態を示す斜視図である。
【図３】引きハンドルの折り畳み構造の形態例を部分的に示す側面図である。
【図４】本発明にかかるリヤカーの他の形態例を示す平面図である。
【図５】本発明にかかるタイヤ保持部の他の形態例を示す平面図である。
【発明を実施するための形態】
【００１３】
以下、本発明にかかるリヤカーの形態例を添付図面（図１及び２）に基づいて詳細に説明する。このリヤカーは、荷物が載置される荷台本体１０、一対のタイヤ１１、１１及び引きハンドル１２を有して荷物を運搬するために用いられる。
【００１４】
１５は回動軸であり、荷台本体１０の後部１０ｃに左右水平方向に延びるように設けられている。本形態例では、荷台本体１０が矩形に形成され、その荷台本体１０の後端から全長の四分の一程度の位置（後部１０ｃ）に左右に突起する状態に形成されている。１５ａは補強用のフレーム部材であり、荷台本体１０に設けられた側面フレーム部１０ｄと結合して枠状に形成され、回動軸１５を補強する構造になっている。なお、回動軸１５は連続的に設けられてもよいし、断続的に設けられてもよい。
【００１５】
２０はタイヤ保持枠体であり、枠体状に形成されてタイヤ１１を内外の枠部２０ａ、２０ｂに軸着することで回転自在に保持すると共に後方の枠部２０ｄが前記荷台本体１０の回動軸１５に軸着されてその回動軸１５を中心に上下方向へ回動可能に設けられて前方の枠部２０ｃが引きハンドル１２に連続するように設けられている。このタイヤ保持枠体２０は、一対のタイヤ１１、１１に対応して一対が設けられている。
【００１６】
本形態例では、図に示すように、荷台本体１０に固定して設けられたパイプ材料から成る回動軸１５に、パイプ材料から成る後方の枠部２０ｄが外嵌されることで、回動軸１５を中心にタイヤ保持枠体２０の前方の枠部２０ｃが上下方向に回動できるように構成されている。
なお、タイヤ保持枠体２０の形状は、図面に示した形状に限定されるものではなく、適宜に補強構造などを付加してもよいのは勿論であり、例えば、前方の枠部２０ｃと引きハンドル１２（根元部１２ａ）との連続する屈曲部分に筋交い状の部材を設けてもよい。
【００１７】
３０は連結機構であり、タイヤ保持枠体２０が下方へ回動された状態に荷台本体１０の前部１０ａと引きハンドル１２の根元部１２ａとを連結するように設けられると共に、荷物を降ろす際にはタイヤ保持枠体２０を上方へ回動させて荷台本体１０が地面上に実質的にベタ置き状態となるようにその荷台本体１０の前部１０ａと引きハンドル１２の根元部１２ａとの連結を解除できるように設けられている。この連結機構３０は、一対のタイヤ１１、１１に対応して一対が設けられている。
【００１８】
本形態例の連結機構３０は、引きハンドル１２の根元部１２ａに固定された固定鉤部３１と、荷台本体１０の前部１０ａに設けられた前面フレーム部１０ｂに沿って左右水平方向に延びる軸体３３に固定されて回動可能に設けられた回動鉤部３２とが係合することで荷台本体１０の前部１０ａと引きハンドル１２の根元部１２ａとを連結できるように設けられている。
【００１９】
３５はレバーであり、軸体３３の一端にその軸体３３に直交する方向に延びるように設けられており、一対の回動鉤部３２を同時に回動させて、一対の固定鉤部３１に係合できるように操作できる。これによれば、ワンタッチで連結とその解除を行うことができ、作業の簡便化を図ることができる。
なお、連結機構３０は、これに限定されるものではなく、既知の連結手段を適宜選択的に用いることができる。また、連結機構３０の連結状態をロックする機構は、既知のロック手段を適宜選択的に用いることができる。
【００２０】
次に、連結機構３０の連結とその連結解除に関する操作手順について以下に説明する。
先ず、図１の状態から連結機構３０による連結を解除して、図２にように荷台本体１０が地面にベタ置きになるようにする操作について説明する。
作業者が、引きハンドル１２を押さえながら、レバー３０を持って下方へ回動することで、軸体３３に固定された一対の回動鉤部３２が回動して一対の固定鉤部３１との係合状態が解除される。そして、引きハンドル１２を押さえる力を緩めると、荷台本体１０はその自重で前部１０ａの接地部１３を中心に後部１０ｃが下方へ回動すると共に、タイヤ保持枠体２０が回動軸１５を中心に前方の枠部２０ｃ側が引きハンドル１２と共に上方へ回動する。これによって、タイヤ１１が上方に位置し、荷台本体１０の全体が地面に実質的にベタ置きの状態になる。つまり、荷台本体１０の底面全面と地面が接触するか、それに近い状態になって、荷台本体１０の荷物の載置面がほぼ水平になるか、荷台本体１０の後部１０ｃ側が前部１０ａ側より低くなって荷台本体１０の後端が地面に実質的に接する状態になる。
この操作では、タイヤ１１が回転自在に装着された軸着部２１を支点として、梃子の原理で力が作用するため、引きハンドル１２を押さえる力は非常に小さくてよく、容易に行うことができる。
【００２１】
次に、荷台本体１０の前部１０ａと引きハンドル１２の根元部１２ａとを連結機構３０によって連結する操作について説明する。
作業者が、図２の状態から引きハンドル１２を下げるように回動させることで、ベタ置きの荷台本体１０の後部１０ｃを浮かせるように回動させ、図１の状態のように一対の固定鉤部３１を軸体３３の両端部にそれぞれ当接させる。そして、レバー３０を上方へ回動させて、図１に示すように一対の固定鉤部３１に対して、一対の回動鉤部３２を係合させることで、荷台本体１０の前部１０ａと引きハンドル１２の根元部１２ａとを連結する。
この操作では、タイヤ１１が回転自在に装着された軸着部２１を支点として、梃子の原理で力が作用するため、連結操作は非常に小さな力でスムース且つ容易に行うことができる。
【００２２】
以上に説明したリヤカーによれば、リヤカーの停止時に、荷台本体１０を地面上にベタ置きにすることができる。このため、作業者は、安定した状態の荷台本体１０上へ、荷物を持ち上げることなく滑り込ませるなどして載置することができる。例えば、キャスター付の台車を押してそのまま乗せることもできる。これによれば、一人の作業者によって安全且つ容易に荷物の積み込み・積み下ろしを行うことができ、作業効率を向上できる。
【００２３】
また、図３に示すように引きハンドル１２を折り畳み可能に設けることもできる。図３（ａ）は、引きハンドル１２が伸長された状態を示し、図３（ｂ）は引きハンドル１２が折り畳まれた状態を示している。
本形態例では、引きハンドル１２が、その根元部１２ａで連結軸１２ｂを介して前後方向に折り畳まれる。４０はリング部材であり、引きハンドル１２が伸長された状態に根元部１２ａと伸長される部分の根元部１２ｃとを止め付ける。この折り畳み構造によれば、リヤカーをコンパクトに収納できる。
【００２４】
次に、図４に基づいて、本発明にかかるリヤカーの他の形態について説明する。なお、以上に説明した構成と同等の構成には、同一の符号を付して詳細な説明を省略する。
１５Ａは回動軸であり、荷台本体１０に左右水平方向に延びるように設けられている。
２０Ａはタイヤ保持部であり、一対のタイヤ１１、１１に対応して一対が設けられ、そのタイヤ１１が回転自在に装着され、そのタイヤ１１の回転軸２１Ａに対して前方向に所要の間隔をおいた部分で回動軸１５Ａに軸着されることでその回動軸１５Ａを中心に回動され、タイヤ１１を、荷物を積み込み・積み降ろす際には上方へ位置させて荷台本体１０が地面上にベタ置き状態となるように、上下方向へ変位可能に保持している。
【００２５】
１２Ａは前方延設部であり、少なくとも一方のタイヤ保持部２０Ａから前方へ延設され、梃子の原理によって、そのタイヤ保持部２０Ａの回動軸１５Ａを中心にする回動に伴って、タイヤ１１を上下方向に変位させるように設けられている。
３０Ａは連結機構であり、タイヤ保持部２０Ａの回動軸１５Ａを中心にした回動によって、タイヤ１１が走行するために下方に位置される際には前方延設部１２Ａと荷台本体１０又は引きハンドル１２とを連結して固定するように設けられると共に、荷物を積み込み・積み降ろす際にはタイヤ１１を上方へ位置させて荷台本体１０が地面上にベタ置き状態となるように前方延設部１２Ａと荷台本体１０又は引きハンドル１２との連結を解除できるように設けられている。
なお、図４の形態例では、前方延設部１２Ａが回動軸１５Ａを中心に下方へ回動されて連結機構３０Ａの連結が解除されているときに荷台本体１０が地面上にベタ置き状態となり、前方延設部１２Ａが上方へ回動されて連結機構３０Ａによって荷台本体１０又は引きハンドル１２と連結されているときにタイヤ１１が走行のために下方に位置された状態となる。
【００２６】
次に、図５に基づいて、本発明にかかるタイヤ保持部の他の形態について説明する。なお、以上に説明した構成と同等の構成には、同一の符号を付して詳細な説明を省略する。
２０Ｂはタイヤ保持部であり、一対のタイヤ１１、１１に対応して一対が設けられ、そのタイヤ１１が回転自在に装着され、そのタイヤ１１の回転軸２１Ｂに対して後方向に所要の間隔をおいた部分で回動軸１５Ｂに軸着されることでその回動軸１５Ｂを中心に回動され、タイヤ１１を、荷物を積み込み・積み降ろす際には上方へ位置させて荷台本体１０が地面上にベタ置き状態となるように、上下方向へ変位可能に保持している。回転軸１５Ｂは、荷台本体１０に外側へ張り出して一体的に設けられた枠部１０Ａに設けられている。また、１２Ｂは前方延設部であり、引きハンドル１２の根元部として設けられてもよい。
【００２７】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２８】
１０  荷台本体
１０ａ  前部
１０ｂ  前面フレーム部
１０ｃ  後部
１１  タイヤ
１２  引きハンドル
１２ａ  根元部
１２Ａ  前方延設部
１５  回動軸
１５Ａ  回動軸
１５Ｂ  回動軸
２０  タイヤ保持枠体
２０ａ  内側の枠部
２０ｂ  外側の枠部
２０ｃ  前方の枠部
２０ｄ  後方の枠部
２０Ａ  タイヤ保持部
２０Ｂ  タイヤ保持部
３０  連結機構
３０Ａ  連結機構
３１  固定鉤部
３２  回動鉤部
３３  軸体
【図１】
2011098641.tif 000003
【図２】
2011098641.tif 000004
【図３】
2011098641.tif 000005
【図４】
2011098641.tif 000006
【図５】
2011098641.tif 000007
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
荷物が載置される荷台本体、一対のタイヤ及び引きハンドルを有して荷物を運搬するために用いられるリヤカーにおいて、
前記荷台本体に左右水平方向に延びるように設けられた回動軸と、
前記一対のタイヤに対応して一対が設けられ、該タイヤが回転自在に装着され、該タイヤの回転軸に対して前後方向のどちらか一方に所要の間隔をおいた部分で前記回動軸に軸着されることで該回動軸を中心に回動され、前記タイヤを、荷物を積み込み・積み降ろす際には上方へ位置させて荷台本体が地面上にベタ置き状態となるように、上下方向へ変位可能に保持するタイヤ保持部と、
少なくとも一方の前記タイヤ保持部から前方へ延設され、梃子の原理によって、該タイヤ保持部の前記回動軸を中心にする回動に伴って、前記タイヤを上下方向に変位させるように設けられた前方延設部と、
前記タイヤ保持部の前記回動軸を中心にした回動によって、前記タイヤが走行するために下方に位置される際には前記前方延設部と前記荷台本体又は引きハンドルとを連結して固定するように設けられると共に、荷物を積み込み・積み降ろす際には前記タイヤを上方へ位置させて前記荷台本体が地面上にベタ置き状態となるように前記前方延設部と前記荷台本体又は引きハンドルとの連結を解除できるように設けられた連結機構とを具備し、
前記前方延設部が前記引きハンドルであり、前記連結機構は前記前方延設部と前記荷台本体とを連結するものであることを特徴とするリヤカー。
【請求項２】
荷物が載置される荷台本体、一対のタイヤ及び引きハンドルを有して荷物を運搬するために用いられるリヤカーにおいて、
前記荷台本体の後部に左右水平方向に延びるように設けられた回動軸と、
前記一対のタイヤに対応して一対が設けられ、枠体状に形成されて前記タイヤが内外の枠部に軸着されることで回転自在に保持されると共に、後方の枠部が前記回動軸に軸着されて該回動軸を中心に前方の枠部が上下方向へ回動可能に設けられ、該前方の枠部が前記引きハンドルに連続するように設けられているタイヤ保持枠体と、
該タイヤ保持枠体が下方へ回動されてリヤカーとして走行できる状態に前記荷台本体の前部と前記引きハンドルの根元部とを連結するように設けられると共に、荷物を積み込み・積み降ろす際には前記タイヤ保持枠体を上方へ回動させて前記荷台本体が地面上にベタ置き状態となるように該荷台本体の前部と前記引きハンドルの根元部との連結を解除できるように設けられた連結機構とを具備することを特徴とするリヤカー。
【請求項３】
前記連結機構が、前記引きハンドルの根元部に固定された固定鉤部と、荷台本体の前部に設けられた前面フレーム部に沿って左右水平方向に延びる軸に固定されて回動可能に設けられた回動鉤部とが係合することで前記荷台本体の前部と前記引きハンドルの根元部とを連結できるように設けられていることを特徴とする請求項２記載のリヤカー。